(57)【要約】【課題】ゼロ挿入力または低挿入力嵌合コネクタ組立体において、基板挿入時の抵抗をより低減させること。【解決手段】コネクタ組立体１０は、ＦＰＣ基板１００を受入れる媒体収容部を形成するハウジングと、媒体収容部に露出するコンタクト４００と、媒体収容部に挿入されたＦＰＣ基板の先端により押される当接面３２１、媒体収容部を挟んでコンタクトに対向した位置に形成される膨出部３１２、膨出部に対向するように形成された摺接部３３２を備えるアクチュエータ３００と、摺接部が摺接されるガイド部４１５と、を有し、ガイド部と摺接部のいずれかが挿入方向に対して下方に傾斜し、媒体収容部へＦＰＣ基板を挿入すると、基板先端が当接面に当接し、アクチュエータは、媒体収容部に沿って移動する際に、摺接部がガイド部に沿って下降移動するのに伴って、膨出部がＦＰＣ基板をコンタクト方向に付勢する方向に回動する。【選択図】図５
2019102203.tif 000002
【特許請求の範囲】
【請求項１】
板状の信号伝達媒体を受入れる媒体収容部を形成するハウジングと、
前記ハウジングに固定され、前記媒体収容部に露出するコンタクトと、
前記媒体収容部に挿入された前記信号伝達媒体の先端により押される当接面、前記媒体収容部を挟んで前記コンタクトに対向した位置に形成される膨出部、前記膨出部に対向するように形成された摺接部を備え、前記媒体収容部に沿って移動可能に前記ハウジングに配置されたアクチュエータと、
前記摺接部が摺接されるガイド部と、を有するコネクタ組立体であって、
前記ガイド部と前記摺接部のいずれか或いは両方が前記信号伝達媒体の挿入方向に対して下方に傾斜するように構成され、
前記媒体収容部へ前記信号伝達媒体を挿入すると、前記信号伝達媒体の先端が前記当接面に当接し、前記アクチュエータは、前記媒体収容部に沿って移動する際に、前記摺接部が前記ガイド部に沿って下降移動するのに伴って、前記膨出部が前記信号伝達媒体を前記コンタクト方向に付勢する方向に回動する、コネクタ組立体。
【請求項２】
前記ガイド部が前記コンタクトの一部として形成され、前記コンタクトは、前記媒体収容部内に露出し、前記信号伝達媒体の端子に接触する接触部と、その両側において前記ハウジングに固定される支持部と、前記接触部と前記支持部の間に形成される前記ガイド部とを含む、請求項１記載のコネクタ組立体。
【請求項３】
前記アクチュエータは、上板、底板、および前記当接面を含み、前記媒体収容部を上下方向および前記信号伝達媒体の挿入方向側において囲む、コの字形状に形成されており、前記底板の下面が、前記媒体収容部の手前側と奥側において鈍角に交わる、請求項１または２に記載のコネクタ組立体。
【請求項４】
前記アクチュエータの当接面は、前記信号伝達媒体の挿入方向に対して直交する幅方向全体にわたって形成される、請求項１から３いずれかに記載のコネクタ組立体。
【請求項５】
前記アクチュエータの摺接部が、前記信号伝達媒体の挿入方向に対して直交する幅方向全体にわたって、前記ガイド部に対応する位置に形成される、請求項１から４いずれかに記載のコネクタ組立体。
【請求項６】
前記膨出部が、前記信号伝達媒体の挿入方向に対して直交する幅方向全体にわたって、前記コンタクトに対向した位置に形成される、請求項１から５いずれかに記載のコネクタ組立体。
【発明の詳細な説明】
【技術分野】
【０００１】
本発明は、フレキシブルプリント回路（ＦＰＣ）基板やフラットフレキシブルケーブル（ＦＦＣ）を接続するためのコネクタ組立体、特に、ＦＰＣ基板やＦＦＣなどを低挿入力またはゼロ挿入力によりコネクタ組立体への嵌合を完了することが可能となるコネクタ組立体に関する。
【背景技術】
【０００２】
引用文献１（特開２０１７−４５５４５号公報）は、アクチュエータの手指による操作を不要としたコネクタを開示している。このコネクタのアクチュエータには押圧部とフラットケーブルの挿入過程でフラットケーブルの端部に当たって押し上げられる係合部が設けられ、フラットケーブルの挿入路の上方には端子の上ビームの受け部が位置しており、フラットケーブルの端部が挿入路に挿入されると、係合部が押し上げられ、それによって押圧部が端子の受け部を押し上げることによりフラットケーブルを受入れる空間を作り出す。
【先行技術文献】
【特許文献】
【０００３】
【特許文献１】特開２０１７−４５５４５号公報
【発明の概要】
【発明が解決しようとする課題】
【０００４】
上記引用文献１に開示されたコネクタによれば、アクチュエータの係合部はアクチュエータの幅方向両端のみに形成されているため、フラットケーブルの端部はアクチュエータの両端部分のみを押し上げることになり、アクチュエータの幅が長い場合には幅方向中央付近で撓んでしまい、端子を押し上げられなくなる可能性がある。また、フラットケーブルの端部は端面であるため、これによって係合部を押し上げてアクチュエータを回動させる場合、強い抵抗感が生じる場合がある。
【０００５】
したがって、本発明は、ＦＰＣ（平型プリント回路）基板やＦＦＣ（フラットフレキシブルケーブル）を挿入するだけで嵌合可能なコネクタ組立体において、ＦＰＣ基板やＦＦＣの挿入時の抵抗をより低減させることを目的とする。
【課題を解決するための手段】
【０００６】
本発明の第１の態様は、
板状の信号伝達媒体を受入れる媒体収容部を形成するハウジングと、
前記ハウジングに固定され、前記媒体収容部に露出するコンタクトと、
前記媒体収容部に挿入された前記信号伝達媒体の先端により押される当接面、前記媒体収容部を挟んで前記コンタクトに対向した位置に形成される膨出部、前記膨出部に対向するように形成された摺接部を備え、前記媒体収容部に沿って移動可能に前記ハウジングに配置されたアクチュエータと、
前記摺接部が摺接されるガイド部と、を有するコネクタ組立体であって、
前記ガイド部と前記摺接部のいずれか或いは両方が前記信号伝達媒体の挿入方向に対して下方に傾斜するように構成され、
前記媒体収容部へ前記信号伝達媒体を挿入すると、前記信号伝達媒体の先端が前記当接面に当接し、前記アクチュエータは、前記媒体収容部に沿って移動する際に、前記摺接部が前記ガイド部に沿って下降移動するのに伴って、前記膨出部が前記信号伝達媒体を前記コンタクト方向に付勢する方向に回動する、コネクタ組立体である。
【０００７】
本発明の第２の態様は、前記ガイド部が前記コンタクトの一部として形成され、前記コンタクトは、前記媒体収容部内に露出し、前記信号伝達媒体の端子に接触する接触部と、その両側において前記ハウジングに固定される支持部と、前記接触部と前記支持部の間に形成される前記ガイド部とを含む、請求項１記載のコネクタ組立体である。
【０００８】
本発明の第３の態様は、前記アクチュエータは、上板、底板、および前記当接面を含み、前記媒体収容部を上下方向および前記信号伝達媒体の挿入方向側において囲む、コの字形状に形成されており、前記底板の下面が、前記媒体収容部の手前側と奥側において鈍角に交わる、請求項１または２に記載のコネクタ組立体である。
【０００９】
本発明の第４の態様は、前記アクチュエータの当接面は、前記信号伝達媒体の挿入方向に対して直交する幅方向全体にわたって形成される、請求項１から３いずれかに記載のコネクタ組立体である。
【００１０】
本発明の第５の態様は、前記アクチュエータの摺接部が、前記信号伝達媒体の挿入方向に対して直交する幅方向全体にわたって、前記ガイド部に対応する位置に形成される、請求項１から４いずれかに記載のコネクタ組立体である。
【００１１】
本発明の第６の態様は、前記膨出部が、前記信号伝達媒体の挿入方向に対して直交する幅方向全体にわたって、前記コンタクトに対向した位置に形成される、請求項１から５いずれかに記載のコネクタ組立体である。
【発明の効果】
【００１２】
上記本発明の第１の態様によれば、ＦＰＣ（平型プリント回路）基板やＦＦＣ（フラットフレキシブルケーブル）を挿入するだけで嵌合可能なコネクタ組立体において、ＦＰＣ基板やＦＦＣの挿入時の抵抗をより低減させることができる。
【００１３】
上記本発明の第２の態様によれば、アクチュエータを、コンタクトに形成されたガイド部によって回動させることが可能となり、結果として部品点数を減らすことが可能となる。
【００１４】
上記本発明の第３の態様によれば、ＦＰＣ基板の挿入時にアクチュエータが確実に回動されるようにすることが可能となる。
【００１５】
上記本発明の第４の態様によれば、ＦＰＣ基板の先端全体でアクチュエータを押して回動させることができ、アクチュエータの幅方向のいずれかの箇所に応力が集中することを防止できる。
【００１６】
上記本発明の第５の態様によれば、アクチュエータの幅方向の全体において回動を生じさせる部材を形成することが可能となる。
【００１７】
上記本発明の第６の態様によれば、アクチュエータの幅方向全体に形成された膨出部によりＦＰＣ基板の幅方向全体をコンタクトに押圧することが可能となる。
【図面の簡単な説明】
【００１８】
【図１】図１（ａ）は、本実施形態のコネクタ組立体１０とＦＰＣ基板１００の全体斜視図、図１（ｂ）は図１のコネクタ組立体１０の分解斜視図である。
【図２】図２（ａ）は図１のコネクタ組立体１０のハウジングの平面図、図２（ｂ）は、図２（ａ）のＩＩＢ−ＩＩＢ線における断面図、図２（ｃ）は、図２（ａ）のＩＩＣ−ＩＩＣ線における断面図である。
【図３】図３（ａ）は図１のコネクタ組立体１０のアクチュエータの平面図、図３（ｂ）は、図３（ａ）のＩＩＩＢ−ＩＩＩＢ線における断面図である。
【図４】図４（ａ）はＦＰＣ基板の挿入前のコネクタ組立体１０の側面図、図４（ｂ）はＦＰＣ基板挿入前のコネクタ組立体１０の断面図である。
【図５】図５（ａ）はＦＰＣ基板をハウジングに挿入し、ＦＰＣ基板先端が当接面に当接した際のコネクタ組立体およびＦＰＣ基板の側面図、図５（ｂ）は、ＦＰＣ基板をハウジングに挿入し、ＦＰＣ基板先端が当接面に当接した際のコネクタ組立体およびＦＰＣ基板断面図である。
【図６】図６（ａ）は、図５（ａ）の状態からＦＰＣ基板をさらに挿入方向に移動させ、アクチュエータが回動を開始した際のコネクタ組立体およびＦＰＣ基板の側面図、図６（ｂ）は、図５（ｂ）の状態からＦＰＣ基板をさらに挿入方向に移動させ、アクチュエータが回動を開始した際のコネクタ組立体およびＦＰＣ基板の断面図である。
【図７】図７（ａ）は、本実施形態のコネクタ組立体とＦＰＣ基板の完全嵌合時の側面図、図７（ｂ）は、本実施形態のコネクタ組立体とＦＰＣ基板の完全嵌合時の断面図である。
【発明を実施するための形態】
【００１９】
以下、図面を参照して本実施形態におけるコネクタ組立体１０を説明する。本実施形態のコネクタ組立体１０とＦＰＣ基板１００の全体斜視図、図１（ｂ）は図１のコネクタ組立体１０の分解斜視図である。図１（ａ）に示すように、コネクタ組立体１０は、ＦＰＣ基板１００などの板状の信号伝達媒体を受け入れて嵌合するためのものである。なお、以下の実施形態においては、コネクタ組立体１０にＦＰＣ基板を挿入して嵌合する場合を説明するが、本発明のコネクタ組立体１０に嵌合される板状の信号伝達媒体はＦＰＣ基板に限定されず、フラットフレキシブルケーブル（ＦＦＣ）や他の平板状の絶縁媒体上に回路パターンを形成したものであればいずれであっても使用することが可能である。
【００２０】
ＦＰＣ基板１００は、上面１１０、下面１２０、側端１３０、挿入端１４０を備え、ＦＰＣ基板１００の側端１３０には、挿入端１４０側にＦＰＣ基板１００の挿入方向に対して直交する幅方向に突出した突出部１５０が設けられる。また、ＦＰＣ基板１００の下面１２０には、複数のコンタクト端子（図示せず）が挿入端１４０側に挿入方向に沿って平行に形成される。
【００２１】
なお、以下の説明において、ＦＰＣ基板１００をコネクタ組立体１００に挿入する方向を挿入方向と呼び、挿入方向と反対方向を抜去方向と呼び、挿入方向と抜去方向の両方を総称してコネクタ組立体１００の長手方向と呼ぶ。また、長手方向に直交し、ＦＰＣ基板１００の挿入端１４０に対して平行な方向を幅方向と呼ぶ。さらに、ＦＰＣ基板１００の表面に対して垂直な方向を高さ方向と呼び、図１（ａ）において上向きの方向を上方向、下向きの方向を下方向と呼ぶものとする。
【００２２】
図１（ａ）、（ｂ）に示すように、コネクタ組立体１０は、ハウジング２００、アクチュエータ３００、ハウジング２００に固定される複数のコンタクト４００を含む。図２（ａ）は図１のコネクタ組立体１０のハウジングの平面図、図２（ｂ）は、図２（ａ）のＩＩＢ−ＩＩＢ線における断面図、図２（ｃ）は、図２（ａ）のＩＩＣ−ＩＩＣ線における断面図である。図１（ａ）、（ｂ）、図２（ａ）に示すように、ハウジング２００は、絶縁性の樹脂で形成され、幅方向および長手方向に延在し、高さ方向に所定肉厚を有するベース２１０、ベース２１０の幅方向両側にベース２１０の高さよりも背高に形成される側部材２２０を含む。ベース２１０と側部材２２０によって囲まれる空間が、ＦＰＣ基板１００を受入れる媒体収容部を形成する。ベース２１０は上面２１１、下面２１２、前面２１３、後面２１４を有する。図１（ｂ）、図２（ｂ）に示すように、ベース２１０の上面２１１にはそれぞれ長手方向に長尺な複数のスロット２１５が幅方向全体にわたって所定間隔で平行に形成され、スロット２１５からは、後述する、ハウジングに固定されたコンタクト４００の中間部が上述の媒体収容部に露出する。
【００２３】
また、図２（ｃ）に示すように、ベース２１０の下面２１２および前面２１３が交わる部位には第１凹部２１６が形成され、この第１凹部２１６内には後述するコンタクト４００の端子部が露出され、コネクタ組立体１００をプリント回路基板に装着する際に、この端子部をプリント回路基板の配線パターンにはんだ付けなどにより固定するために用いられる。さらに、ベース２１０の下面２１２および前面２１３が交わる部位には第２凹部２１７が幅方向にわたって形成され、ここには後述するアクチュエータ３００の底板がスライド移動可能に配置される。
【００２４】
ハウジング２００の側部材２２０は、ベース２１０の上面２１１よりも背高かつベース２１０の後面２１４よりも挿入方向に延在することにより長手方向に長尺であり、上面２２１、下面２２２、前面２２３、後面２２４、外側側面２２５、内側側面２２６を有する。側部材２２０には高さ方向略中間部分に後面２２４から前面２２３に向けて（抜去方向に向けて）ガイド溝２２７がベース２１０の後面２１４に達しない位置まで形成される。また、側部材２２０の後面２２４側には内側に向けて突出した突起２２８が形成される。
【００２５】
ガイド溝２２７は、図２（ｂ）に示すように、ハウジング２００の側部材２２０の後面２２４から抜去方向に向けて水平にベース２１０の後面２１４に達しない位置まで延在する下面２２７１、下面２２７１の抜去方向側端部から高さ方向にスライド軸３５０の高さに対応する高さだけ延びる最奥面２２７２、最奥面２２７２の上端から挿入方向に向かって水平方向に所定長さ延びる第1水平上面２２７３、第1水平上面２２７３の挿入方向側の端部から上方に向かって傾斜しつつ所定距離延びた傾斜上面２２７４、傾斜上面２２７４の挿入方向側の端部から挿入方向に向かって側部材２２０の後面２２４にかけて水平に延びた第2水平上面２２７５より構成される。したがって、ガイド溝２２７は、後面２２４側の高さ方向の大きさが最奥面２２７２側の高さ方向の大きさよりも大きくなっている。
【００２６】
図３（ａ）は、図１のコネクタ組立体１０のアクチュエータ３００の平面図、図３（ｂ）は、図３（ａ）のＩＩＩＢ−ＩＩＩＢ線における断面図である。アクチュエータ３００は、上述の媒体収容部に沿って長手方向に移動可能にハウジング２００に配置される。図１（ｂ）、図３（ａ）に示すように、アクチュエータ３００は、絶縁材料で形成された、側方視でコの字型をなす部材であり、上板３１０、背板３２０、底板３３０を含む。上板３１０と底板３３０は背板３２０の高さ方向の上端および下端から略平行に抜去方向に向けて延在しており、上板３１０の長手方向の長さは底板３３０の長手方向の長さよりも長い。背板３２０の側面３４０には幅方向外側に向けて突出したスライド軸３５０が設けられる。スライド軸３５０は、アクチュエータ３００がハウジング２００に組み込まれた際に、ハウジング２００のガイド溝２２７にはまり込み、ガイド溝２２７に沿って挿入方向に移動可能となる。
【００２７】
スライド軸３５０の形状は、側方視で略長方形である。しかしながら、スライド軸３５０の形状は、略長方形に限定されず、他の形状、例えば、長楕円形、長円形、正方形、円形であってもよい。
【００２８】
図３（ｂ）に示すように、アクチュエータ３００の上板３１０の下面３１１の抜去方向側には高さ方向下方に膨出した膨出部３１２がＦＰＣ基板１００の挿入方向に対して直交する幅方向に略全体にわたって、コンタクト４００に対向した位置に、直線状に形成される。したがって、ハウジング２００とアクチュエータ３００を組み立てた際に、この膨出部３１２は、上述の媒体収容部を挟んでコンタクト４００に対向した位置となる。なお、膨出部３１２は、上板３１０の下面３１１の幅方向全体に連続して形成されなくてもよく、所定の間隔をあけて複数形成されるようにしてもよい。背板３２０の抜去方向側の面は、上述の媒体収容路に挿入されたＦＰＣ基板１００の挿入端１４０により押されることになる当接面３２１をなす。この当接面３２１は、背板３２０の抜去方向側に、ＦＰＣ基板１００の挿入方向に対して直交する幅方向の略全体にわたって設けられる。また、底板３３０の上面３３１の抜去方向側の部位には、上述の膨出部３１２に対向するように形成された摺接部３３２が形成される。この摺接部３３２は、挿入方向に対して下方に傾斜するように（抜去方向に向かって上方に傾斜するように）、ＦＰＣ基板１００の挿入方向に対して直交する幅方向に略全体にわたって、コンタクト４００の後述する遷移部分に対応する位置に形成される。この摺接部３３２は、底板３３０の上面３３１の幅方向全体わたって連続して形成されなくてもよく、所定の間隔をあけて複数形成されるようにしてもよい。
【００２９】
アクチュエータ３００の上板３１０の下面３１１、背板３２０の当接面３２１、底板３３０の上面３３１は側方視でコの字型をなしており、ＦＰＣ基板およびハウジング２００のベース２１０の収容空間３４０を形成する。さらに、底板３３０の下面３３３の一部、つまり背板３２０の後面３２２と交わる側に近い領域が、背板３２０に向かって緩やかに傾斜したテーパ面３３４となっている。また、底板３３０の下面３３３のテーパ面３３４ではない部分はＦＰＣ基板１００の挿入方向に略平行な非テーパ面３３５となっている。したがって、底板３３０の下面３３３は、前記媒体収容部の手前側と奥側において鈍角に交わっている。
【００３０】
図２（ｂ）に示すように、コンタクト４００は、金属平板を長尺状に打ち抜いて形成され、逆Ｖ字状の中間部４１０、中間部４１０よりも挿入方向側に形成される第１固定部４２０、中間部４１０よりも抜去方向側に形成される第２固定部４３０、第２固定部４３０よりもさらに抜去方向側に形成される端子部４４０より構成される。コンタクト４００は、ハウジング２００のベース２１０に形成されたスロット２１５内にインサート成型により固定される。このとき、コンタクト４００の中間部４１０の逆Ｖ字状の頂部がスロット２１５内から媒体収容路内に向けて上方に露出し、ハウジング２００のベース２１０上にＦＰＣ基板１００が挿入された際に、その下面１２０に形成されたコンタクト端子に接触する接触部をなしている。また、第１固定部４２０、第２固定部４３０は、ハウジング２００のスロット２１５の長手方向の両側においてベース２１０内に固定される支持部を構成する。
【００３１】
さらに、コンタクト４００の第１固定部４２０と中間部４１０の間の形成される遷移部分４１５はハウジング２００のベース２１０に形成された第２凹部２１７に、挿入方向に向かって斜め下方に傾斜するように露出し（つまり、抜去方向に向かって斜め上方に傾斜している）、アクチュエータ３００の摺接部３３２に対するガイド部を提供する。また、コンタクト４００の端子部４４０はベース２１０に設けられた第１凹部２１６に露出し、端子部４４０をプリント回路基板（図４（ｂ）参照）の配線パターンにはんだ付けなどにより固定され、これによりコネクタ組立体１０がプリント回路基板に装着される。
【００３２】
次に、図１（ａ）および図４（ａ）、（ｂ）を参照して、本実施形態のコネクタ組立体１０の組み立てについて説明する。なお、図４（ａ）はＦＰＣ基板１００をコネクタ組立体１０に挿入する前の側面図、図４（ｂ）はＦＰＣ基板１００の挿入前の断面図である。図１（ａ）に示すように、アクチュエータ３００の上板３１０がハウジング２００のベース２１０の上方を、所定間隙を隔てて覆い、底板３３０がハウジング２００のベース２１０の第２凹部２１７に挿入され、さらに、アクチュエータ３００のスライド軸３５０がハウジング２００の側部材２２０のガイド溝２２７に挿入されるように、アクチュエータ３００をハウジング２００に対して組み込む。このとき、スライド軸３５０はガイド溝２２７の抜去方向最奥まで挿入される（図４（ａ）参照）。スライド軸３５０の高さ方向の高さは、ガイド溝２２７の下面２２７１と第１水平上面２２７３との間の高さと略等しいため、高さ方向の移動が規制され、上下にガタつかないようになっている。
【００３３】
また、このとき、図４（ｂ）に示すように、アクチュエータ３００の上板３１０の下面３１１とハウジング２００のベース２１０の上面２１１の間にはＦＰＣ基板を受入れるためのＦＰＣ基板収容空間５１０が形成される。さらに、このとき、アクチュエータ３００の下面３３３のテーパ面３３４がプリント回路基板６００の基板表面６１０上に載置され、アクチュエータ３００全体を支持した状態となり、これにより、アクチュエータ３００は、全体としてわずかに挿入方向に対して傾いた状態となる。つまり、アクチュエータ３００の非テーパ面３３５はプリント回路基板６００の基板表面６１０からわずかに傾斜して浮いた状態となり、後面３２２はプリント回路基板６００の基板表面６１０に対して鉛直な面よりも挿入方向にわずかに傾き、上板３１０は挿入方向に対してわずか下方に向けて傾斜（抜去方向に対してわずか上方に向けて傾斜）した状態となる。この上板３１０の傾きにより、アクチュエータ３００の上板３１０の下面３１１とハウジング２００のベース２１０の上面２１１の間のＦＰＣ基板収容空間５１０の高さ方向の大きさは、挿入方向奥側（アクチュエータ３００の当接面３２１側）よりも、挿入方向手前側（アクチュエータ３００の膨出部３１２が設けられた側）の方が大きくなり、ＦＰＣ基板１００のＦＰＣ基板収容空間５１０への挿入が容易となる。
【００３４】
次に、ＦＰＣ基板１００を本実施形態のコネクタ組立体１０に挿入して嵌合する際の動作について、図５（ａ）〜図７（ｂ）を参照して説明する。なお、図５（ａ）はＦＰＣ基板１００をＦＰＣ基板収容空間５１０に挿入し、ＦＰＣ基板１００の挿入端１４０が当接面３２１に当接した際の側面図、図５（ｂ）は、ＦＰＣ基板１００をＦＰＣ基板収容空間５１０に挿入し、ＦＰＣ基板１００の挿入端１４０が当接面３２１に当接した際の断面図、図６（ａ）は、図５（ａ）の状態からＦＰＣ基板１００をさらに挿入方向に移動させ、アクチュエータ３００が回動を開始した際の側面図、図６（ｂ）は、図５（ｂ）の状態からＦＰＣ基板１００をさらに挿入方向に移動させ、アクチュエータ３００が回動を開始した際の断面図、図７（ａ）は、本実施形態のコネクタ組立体１０にＦＰＣ基板１００が完全に嵌合された際の側面図、図７（ｂ）は、本実施形態のコネクタ組立体１０にＦＰＣ基板１００が完全に嵌合された際の断面図である。
【００３５】
図５（ａ）、（ｂ）に示すように、ＦＰＣ基板１００をＦＰＣ基板収容空間５１０内に挿入方向へ向けて挿入する。すると、ＦＰＣ基板収容空間５１０が大きく開いているため、ＦＰＣ基板１００の挿入端１４０はアクチュエータ３００下面３３３の膨出部３１２とコンタクト４００の逆Ｖ字型の中間部４１０の間を妨げられることなく通過し、アクチュエータ３００の当接面３２１に到達する。
【００３６】
ＦＰＣ基板１００をさらに挿入方向へ向けて移動させると、ＦＰＣ基板１００の挿入端１４０がアクチュエータ３００の当接面３２１を押圧し、それにより、アクチュエータ３００が挿入方向へ向けて移動を開始する。このとき、アクチュエータ３００の当接面３２１の幅方向の全体がＦＰＣ基板１００の挿入端１４０の幅方向の全体によって押圧される。次いで、アクチュエータ３００のスライド軸３５０はハウジング２００のガイド溝２２７内に沿って挿入方向に向けて移動を開始する。つまり、アクチュエータ３００のスライド軸３５０は、ガイド溝２２７の下面２２７１に沿って挿入方向に移動する。また、アクチュエータ３００の底板３３０のテーパ面３３４はプリント回路基板６００の基板表面に沿って挿入方向へ摺動していく。この状態で、ＦＰＣ基板１００をさらに挿入方向へ向けて移動させていくと、アクチュエータ３００の底板３３０の上面３３１に設けられた摺接部３３２がコンタクト４００の第１固定部４２０と中間部４１０との遷移部分４１５に接する。なお、この時点ではアクチュエータ３００はまだ挿入方向側に傾いた状態のままである。
【００３７】
次いで、さらにＦＰＣ基板１００を挿入方向へ向けて挿入させた状態が図６（ａ）、（ｂ）に示されている。ＦＰＣ基板１００の挿入端１４０によって当接面３２１が押されることにより、アクチュエータ３００がさらに挿入方向へ移動し、摺接部３３２がコンタクト４００の遷移部分４１５に摺接しながら移動する。ここで、遷移部分４１５は挿入方向に向かって斜め下方に傾斜するようにスロット２１５から第2凹部２１７内に突出しており、また摺接部３３２も挿入方向に対して下方に傾斜している。したがって、この遷移部分４１５と摺接部３３２とが相対的に摺接移動することにより、遷移部分４１５によって摺接部３３２およびアクチュエータ３００の底板３３０が高さ方向下方に押し下げられる。
【００３８】
ここで、アクチュエータ３００の底板３３０の下面３３３のテーパ面３３４はプリント回路基板６００の基板表面６１０に摺接しているものの、下面３３３の非テーパ面３３５はプリント回路基板６００の上方に傾斜して浮いた状態になっているため、アクチュエータ３００の底板３３０の非テーパ面３３５が、テーパ面３３４と非テーパ面３３５との境界線３３６を支点としてプリント回路基板６００に向かって押し下げられることにより、アクチュエータ３００全体は抜去方向に回動を開始する。図６（ａ）、（ｂ）では、アクチュエータ３００の底板３００のテーパ面３３４と非テーパ面３３５との境界線３３６がプリント回路基板６００の基板表面６１０に接触しているものの、テーパ面３３４および非テーパ面３３５は両方ともわずかに基板表面６１０から浮いている状態が示されている。
【００３９】
この回動により、アクチュエータ３００の上板３１０の抜去方向側の端部が高さ方向下方に向けて回動し、アクチュエータ３００の上板３１０の下面３１０とハウジング２００のベース２１０の上面２１１の間のＦＰＣ基板収容空間５１０の高さ方向の挿入方向手前側の大きさは徐々に小さくなる。また、アクチュエータ３００の上面３１０の下面３１０の膨出部３１２がＦＰＣ基板１００の上面１１０上に接触し、高さ方向下方に向けて付勢力を加え始める。また、アクチュエータ３００のスライド軸３５０は、ハウジング２００のガイド溝２２７の下面２２７１と傾斜上面２２７４の間に位置する。このとき、スライド軸３５０は、アクチュエータ３００全体の抜去方向への回動にともなって、ガイド溝２２７内で回動する。スライド軸３５０の断面形状が長方形の場合、ガイド溝２２７の下面２２７１と傾斜上面２２７４の高さ方向の距離が挿入方向に向けて徐々に広がっているため、ガイド溝２２７内でのスライド軸の回動量と挿入方向への移動量との関係を制御できる。
【００４０】
図７（ａ）、（ｂ）に示すように、ＦＰＣ基板１００を挿入方向へさらに移動させると、アクチュエータ３００の後面３２０がハウジング２００の側部材２２０に設けられた突起２２８に達し、アクチュエータ３００の移動が阻止され、アクチュエータ３００の挿入方向への移動は停止する。また、アクチュエータ３００の抜去方向側への回動も終了し、アクチュエータ３００の底板３００の非テーパ面３３５がプリント回路基板６００の基板表面６１０に密接した状態となり、テーパ面３３４はプリント回路基板上にわずかに浮いた状態となる。
【００４１】
また、アクチュエータ３００の上板３１０の下面３１１に設けられた膨出部３１２がＦＰＣ基板１００の上面１１０を高さ方向下方に向けて押圧し、下面１２０に形成されたコンタクト（図示せず）を、ＦＰＣ基板１００を挟んで膨出部３１２に対向して配置されたコンタクト４００の逆Ｖ字型の中間部４１０に押圧させることにより電気的に接続させる。また、膨出部３１２は、ＦＰＣ基板１００の下面１２０をハウジング２００のベース２１０の上面２１１全体に対して押圧する。これにより、ＦＰＣ基板１００は、この膨出部３１２とコンタクト４００の中間部４１０、およびベース２１０の上面２１１との間に、十分な接触圧力により挟持され、固定される。なお、このとき、アクチュエータ３００の上板３１０の下面３１１とハウジング２００のベース２１０の上面２１１の間のＦＰＣ基板収容空間５１０の高さ方向の大きさは、挿入方向奥側と手前側とで略同一となる。
【００４２】
また、このとき、アクチュエータ３００のスライド軸３５０は、ハウジング２００のガイド溝２２７の下面２２７１と第２水平上面２２７５との間に、回動した状態で位置する。スライド軸３５０が長方形の場合、ガイド溝２２７の下面２２７１と第２水平上面２２７５との間の距離は、下面２２７１と第１水平上面２２７３との間の距離よりも大きいため、回動状態になり高さ方向の距離が増したスライド軸３５０を収容し保持できる。
【００４３】
以上、ＦＰＣ基板やＦＦＣの挿入時の抵抗をより低減させることが可能な、ＦＰＣ基板やＦＦＣ用の低挿入力またはゼロ挿入力コネクタ組立体について説明した。上記のコネクタ組立体１０においては、媒体収容部へＦＰＣ基板１００を挿入すると、ＦＰＣ基板１００の挿入端１４０がアクチュエータ３００の当接面３２１に当接し、アクチュエータ３００は、媒体収容部に沿って移動する際に、摺接部３３２がコンタクト４００の遷移部４１５に沿って下降移動するのに伴って、アクチュエータ３００の膨出部３１２がＦＰＣ基板１００をコンタクト４００の中間部４１０方向に付勢する方向に回動する。このように、コンタクト４００に形成された遷移部分４１５とアクチュエータ３００に形成された摺接部との相互接触作用によってアクチュエータ３００の回動が生じる。しかしながら、本発明は上記の例に限定されない。例えば、コンタクト４００に形成された遷移部分の代わりにハウジング２００のコンタクトを保持する部位にアクチュエータ３００の摺接部が摺接する被摺接部を形成し、ハウジング２００の被摺接部と摺接部３００との相互接触作用によってアクチュエータ３００の回動を生じさせるようにしてもよい。
【００４４】
また、上述の説明においては、コンタクト４００の遷移部４１５と摺接部３３２の両法がＦＰＣ基板１００の挿入方向に対して下方に傾斜するように構成された例を説明したが、本発明は、上記の構成に限定されず、例えば、遷移部４１５と摺接部３３２のいずれか一方がＦＰＣ基板１００の挿入方向に対して下方に傾斜し、もう一方は突出した形状であってもよい。
【００４５】
また、上記実施形態においては、アクチュエータ３００の下面３３３を、境界線３３６を境にテーパ面３３４と非テーパ面３３５により構成した例を説明したが、下面３３３を互いに交わる２平面に代えて長手方向に湾曲した曲面状に形成してもよい。
【符号の説明】
【００４６】
１０    コネクタ組立体
１００    ＦＰＣ基板
１１０    上面
１２０    下面
１３０    側端
１４０    挿入端
１５０    突出部
２００    ハウジング
２１０    ベース
２１１    上面
２１２    下面
２１３    前面
２１４    後面
２１５    スロット
２１６    第１凹部
２１７    第２凹部
２２０    側部材
２２１    上面
２２２    下面
２２３    前面
２２４    後面
２２５    外側側面
２２６    内側側面
２２７    ガイド溝
２２７１    下面
２２７２    最奥面
２２７３    第１水平上面
２２７４    傾斜上面
２２７５    第２水平上面
２２８    突起
３００    アクチュエータ
３１０    上板
３１１    下面
３１２    膨出部
３２０    背板
３２１    当接面
３３０    底板
３３１    上面
３３２    摺接部
３３３    下面
３３４    テーパ面
３３５    非テーパ面
３３６    境界線
３４０    側面
３５０    スライド軸
４００    コンタクト
４１０    中間部
４１５    遷移部分
４２０    第１固定部
４３０    第２固定部
４４０    端子部
６００    プリント回路基板
６１０    基板表面
【図１】
2019102203.tif 000003
【図２】
2019102203.tif 000004
【図３】
2019102203.tif 000005
【図４】
2019102203.tif 000006
【図５】
2019102203.tif 000007
【図６】
2019102203.tif 000008
【図７】
2019102203.tif 000009